(57)【要約】【課題】ロックキーの種類に関わりなく、フック軸が挿入された場合に係合手段の解除動作を確実に阻止すること。【解決手段】装置筐体１１の外表面に開口し、太径のロック本体部２０１から突出したフック軸２０２が挿入された後に所定の角度だけ回転された場合にフック軸２０２の装置筐体１１から抜去する方向への移動を阻止するキー挿入孔１７ａと、装置筐体１１の外表面におけるキー挿入孔１７ａの周囲となる部位に進退可能に配設し、キー挿入孔１７ａにフック軸２０２を挿入した場合にロック本体部２０１によって押圧される可動部材１９と、可動部材１９が押圧された場合にエジェクトボタン１６の操作を阻止するとともに、係合レバー１５の解除を阻止するロック解除阻止手段３０とを備えた。【選択図】図２
2010257202.tif 000002
【特許請求の範囲】
【請求項１】
装置筐体に携帯用情報機器が搭載された場合に係合手段を係合させることによって携帯用情報機器の離脱を阻止するとともに、相互にコネクタを接続することによって携帯用情報機器に拡張機能を付与する一方、エジェクトボタンが操作された場合には係合手段を解除することによって携帯用情報機器の離脱を許容するドッキング装置において、
装置筐体の外表面に開口し、太径のロック本体部の先端にフック軸が設けられたロック器具が装着された際に当該フック軸が係合するキー挿入孔と、
装置筐体の外表面におけるキー挿入孔の周囲となる部位に進退可能に配設し、キー挿入孔にフック軸を挿入した場合にロック本体部によって押圧される可動部材と、
可動部材が押圧された場合に前記係合手段の解除を阻止するロック解除阻止手段と
を備えたことを特徴とするドッキング装置。
【請求項２】
前記可動部材は、前記キー挿入孔の周囲全周に配置される環状を成すものであり、
装置筐体との間には、弾性押圧力により装置筐体の外表面から前記可動部材を常時突出した状態に保持する弾性手段を介在させた
ことを特徴とする請求項１に記載のドッキング装置。
【請求項３】
前記ロック解除阻止手段は、
エジェクトボタンの操作移動を阻止するボタン操作阻止機構部と、
係合手段の解除方向への移動を阻止する係合解除阻止機構部と
を備えたことを特徴とする請求項１に記載のドッキング装置。
【発明の詳細な説明】
【技術分野】
【０００１】
本発明は、装置筐体に携帯用情報機器が搭載された場合に係合手段を係合させることによって携帯用情報機器の離脱を阻止するとともに、相互にコネクタを接続することによって携帯用情報機器に拡張機能を付与するドッキング装置に関するものである。
【背景技術】
【０００２】
可搬性を考慮して軽量コンパクトに構成された携帯用情報機器にあっては、その機能も制限されている場合が多い。例えば、携帯用パーソナルコンピュータ（以下、「ラップトップパソコン」という）においてもその機能を制限することで軽量化を図るようにしているのが一般的である。こうしたラップトップパソコンに対しては、機能を拡張する専用の装置としてドッキング装置が提供されている。ドッキング装置は、ラップトップパソコンに付与する拡張機能を有するとともに、ラップトップパソコンに接続するためのコネクタを有したものである。
【０００３】
通常、ドッキング装置には、係合手段及びエジェクトボタンが設けられている。係合手段は、装置筐体においてラップトップパソコンが搭載される位置に対応して設けられたもので、装置筐体にラップトップパソコンが搭載され、かつコネクタが接続された場合に係合してラップトップパソコンの不用意な離脱を阻止するようにしている。エジェクトボタンは、操作された場合に係合手段を解除して、ラップトップパソコンを離脱させるためのものである。
【０００４】
ところで、昨今のドッキング装置には、ラップトップパソコン用のワイヤ式ロックキーを装着できるように構成したものも提供されている。すなわち、装置筐体の外表面に開口するようにキー挿入孔が設けられており、ロックキーのフック軸を挿入して所定の角度（約９０°）だけ回転すると、フック軸が装置筐体に係止され、装置筐体から抜去する方向へ移動するのが阻止されると同時に、係合手段の解除動作が阻止されるように構成したものである。すなわち、ロックキーのフック軸が挿入された場合にその先端部によって係合手段の解除動作を阻止する機構を動作させるようにしたものである。
【０００５】
こうしたドッキング装置によれば、ラップトップパソコンを搭載した状態でロックキーを装着すれば、自身が盗難されるのを防止できるばかりでなく、係合手段が解除できないため、一つのロックキーを用いることにより、ラップトップパソコンの盗難を同時に防止することができるようになる（例えば、特許文献１参照）。
【先行技術文献】
【特許文献】
【０００６】
【特許文献１】特開平１１−１９４８５２号公報
【発明の概要】
【発明が解決しようとする課題】
【０００７】
ラップトップパソコンやドッキング装置に適用されるワイヤ式ロックキーとしては、現在、複数の製造元から種々のものが提供されているが、いずれも太径に形成されたロック本体部の先端部にフック軸が設けられたものである。フック軸は、軸部の先端に直角に延在するフックを有したもので、装置筐体のキー挿入孔に挿入された状態で回転すると、ロック本体部の先端部とフック軸のフックとの間に装置筐体が挟装保持された状態となり、装置筐体から抜去する方向への移動が阻止されることになる。
【０００８】
こうした機能上の制約から、ロックキーの種類に関わらずロック本体部の先端面とフック軸のフックまでの距離に関してはほぼ標準化された状態にある。すなわち、いかなる種類のロックキーであっても、フック軸をドッキング装置のキー挿入孔に挿入した後、これを９０°回転させれば、装置筐体から抜去する方向の移動が阻止された状態とすることが可能である。
【０００９】
しかしながら、フック軸においてフックよりも先端側に位置する部分に関しては、ロックキーの種類に応じて様々な工夫を凝らしているのが実情であり、必ずしも寸法や形状が同一であるとは限らない。このため、フック軸の先端部によって係合手段の解除動作を阻止するように構成した特許文献１に記載のドッキング装置では、ロックキーの種類が異なった場合、係合手段の解除動作を阻止し得ない状態となる恐れがある。
【００１０】
本発明は、上記実情に鑑みて、ロックキーの種類に関わりなく、フック軸が挿入された場合に係合手段の解除動作を確実に阻止することのできるドッキング装置を提供することを目的とする。
【課題を解決するための手段】
【００１１】
上記目的を達成するため、本発明は、装置筐体に携帯用情報機器が搭載された場合に係合手段を係合させることによって携帯用情報機器の離脱を阻止するとともに、相互にコネクタを接続することによって携帯用情報機器に拡張機能を付与する一方、エジェクトボタンが操作された場合には係合手段を解除することによって携帯用情報機器の離脱を許容するドッキング装置において、装置筐体の外表面に開口し、太径のロック本体部の先端にフック軸が設けられたロック器具が装着された際に当該フック軸が係合するキー挿入孔と、装置筐体の外表面におけるキー挿入孔の周囲となる部位に進退可能に配設し、キー挿入孔にフック軸を挿入した場合にロック本体部によって押圧される可動部材と、可動部材が押圧された場合に前記係合手段の解除を阻止するロック解除阻止手段とを備えたことを特徴とする。
【００１２】
また、本発明の好ましい態様によれば、前記可動部材は、前記キー挿入孔の周囲全周に配置される環状を成すものであり、この押圧部と装置筐体との間には、弾性押圧力により装置筐体の外表面から前記押圧部を常時突出した状態に保持する弾性手段を介在させることが望ましい。
【００１３】
また、本発明の好ましい態様によれば、前記ロック解除阻止手段は、エジェクトボタンの操作移動を阻止するボタン操作阻止機構部と、係合手段の解除方向への移動を阻止する係合解除阻止機構部とを備えることが望ましい。
【発明の効果】
【００１４】
本発明によれば、フック軸をキー挿入孔に挿入する際にロック本体部によって可動部材を押圧し、これによってロック解除阻止手段を動作させるようにしている。ロック本体部は、操作者が手に持って操作する部分であり、ロックキーの種類に関わりなくフック軸よりも太径の部分として存在するものである。従って、ロックキーの種類に応じてフック軸の先端形状や寸法が異なっている場合にも、フック軸をキー挿入孔に挿入すれば、ロック解除阻止手段を確実に動作させることが可能となる。
【図面の簡単な説明】
【００１５】
【図１】図１は、本発明の実施の形態であるドッキング装置においてフック軸を挿入する以前の状態を示す要部断面図である。
【図２】図２は、図１に示したドッキング装置においてフック軸を挿入した状態を示す要部断面図である。
【図３】図３は、図１に示したドッキング装置においてフック軸が挿入されるキー挿入孔を示す斜視図である。
【図４】図４は、図１に示したドッキング装置に適用される係合手段の係合状態解除機構部及び係合解除阻止機構部を示す内部斜視図である。
【図５】図５は、図４に示した係合状態解除機構部及び係合解除阻止機構部を示す平面図である。
【図６】図６は、図４に示した係合状態解除機構部及び係合解除阻止機構部の要部を拡大して示す斜視図である。
【図７】図７は、図１に示したドッキング装置と携帯用情報機器とが互いに分離した状態を示す分解斜視図である。
【図８】図８は、図１に示したドッキング装置と携帯用情報機器とが互いに接続された状態を概念的に示す断面側面図である。
【発明を実施するための形態】
【００１６】
以下、添付図面を参照しながら本発明に係るドッキング装置の好適な実施の形態について詳細に説明する。
【００１７】
図７は、本発明の実施の形態であるドッキング装置を示したものである。ここで例示するドッキング装置１０は、携帯用情報機器として携帯用パーソナルコンピュータ（以下、「ラップトップパソコン１００」という）を接続対象としてその機能を拡張するものである。この実施の形態で例示するラップトップパソコン１００は、本体筐体１０１に対して開閉可能に取り付けられた蓋体１０２を備えたもので、本体筐体１０１の上面にキーボード１０３を備え、かつ蓋体１０２に表示装置１０４を備えている。図８に示すように、このラップトップパソコン１００には、本体筐体１０１の下面にドッキング装置１０に接続するためのＰＣ側コネクタ１１０が設けてあるとともに、後述する係合レバー１５が係合するための係合爪１２０、さらには一対の位置決め孔１３０が設けてある。
【００１８】
ドッキング装置１０は、図７及び図８に示すように、ラップトップパソコン１００の本体筐体１０１を載置させた状態で用いられるもので、合成樹脂材によって成形した装置筐体１１にＰＣ搭載部１１ａ及びロック操作部１１ｂを有している。ＰＣ搭載部１１ａは、ラップトップパソコン１００を載置することのできる大きさの上面を有した箱体であり、前側から後側に向かうに従って漸次高さ寸法が大きくなるように傾斜している。ロック操作部１１ｂは、ＰＣ搭載部１１ａよりも大きな高さ寸法を有した直方体状部分であり、ＰＣ搭載部１１ａの一側方において後半側となる部位に設けてある。
【００１９】
ドッキング装置１０のＰＣ搭載部１１ａには、その中央部に可動板１２が配設してある。可動板１２は、上面視が矩形状を成す蓋状部材であり、前側に位置する縁部を軸心としてＰＣ搭載部１１ａの上面に揺動可能に支承してある。可動板１２とＰＣ搭載部１１ａとの間には、可動板１２を常時上方に向けて突出させるコイルスプリング１３が適宜箇所に介在させてある。
【００２０】
この可動板１２には、コネクタ挿通孔１２ａ、一対のレバー挿通孔１２ｂ及び一対のピン挿通孔１２ｃが形成してある。コネクタ挿通孔１２ａは、ＰＣ搭載部１１ａに配設した拡張側コネクタ１４に対応する部位に形成した開口であり、コイルスプリング１３の弾性力に抗して可動板１２をＰＣ搭載部１１ａに向けて近接移動させた場合に拡張側コネクタ１４の嵌合部を外部に露出させることが可能である。レバー挿通孔１２ｂは、ＰＣ搭載部１１ａに配設した後述の係合レバー１５に対応する部位に形成した開口であり、コイルスプリング１３の押圧力に抗して可動板１２をＰＣ搭載部１１ａに向けて近接移動させた場合に係合レバー１５の先端部を外部に露出させることが可能である。ピン挿通孔１２ｃは、ＰＣ搭載部１１ａに配設した位置決めピンＰに対応する部位に形成した開口である。
【００２１】
拡張側コネクタ１４は、ドッキング装置１０に設けた各種拡張機能の接続端子を構成し、ラップトップパソコン１００において本体筐体１０１の下面に設けたＰＣ側コネクタ１１０に接続可能となるもので、ＰＣ搭載部１１ａに固定してある。拡張側コネクタ１４にＰＣ側コネクタ１１０を接続した場合には、ドッキング装置１０に設けた各種拡張機能をラップトップパソコン１００から使用することが可能となる。
【００２２】
係合レバー（係合手段）１５は、レバー基部１５ａを介してＰＣ搭載部１１ａに前後方向に沿ってスライド可能に支持させたものである。それぞれの係合レバー１５には、レバー基部１５ａからＰＣ搭載部１１ａの上面及び可動板１２を介して外部に向けてレバー部１５ｂが延在し、さらに個々のレバー部１５ｂの上端部に後側に向けて係合爪部１５ｃが突設してある。係合レバー１５の係合爪部１５ｃは、コイルスプリング１３の押圧力に抗して可動板１２をＰＣ搭載部１１ａに向けて近接移動させた場合にレバー挿通孔１２ｂを介して外部に露出することが可能である。図には明示していないが、それぞれの係合レバー１５は、装置筐体１１との間に介在させたレバースプリングの押圧力により、常時装置筐体１１の後側に向けて押圧されている。
【００２３】
また、係合レバー１５には、レバー基部１５ａの下面に解除阻止連係部１５ｄを有している。解除阻止連係部１５ｄは、レバー基部１５ａにおいて最も後側にとなる部位の下面から下方に向けて突出した部分である。解除阻止連係部１５ｄにおいて前側に向かう面は、レバー基部１５ａと略直角に延在しており、解除阻止係止面１５ｅを構成している。解除阻止連係部１５ｄにおいて後側に向かう面は、下方に向かうに従って漸次前側に傾斜する傾斜面１５ｆを構成している。
【００２４】
位置決めピンＰは、ＰＣ搭載部１１ａにおいて拡張側コネクタ１４の近傍に位置する部位から立設した円柱状部材である。
【００２５】
ドッキング装置１０のロック操作部１１ｂには、図１〜図３に示すように、エジェクトボタン１６及びキー挿入孔１７ａが設けてある。エジェクトボタン１６は、ロック操作部１１ｂに対して上下方向に移動可能に配設した押ボタンであり、通常状態においては復帰スプリング１６ａによって上方に押圧された状態にある。このエジェクトボタン１６には、図４及び図５に示すように、係合状態解除機構部２０が連係してある。係合状態解除機構部２０は、第１係合解除レバー２１と、第２係合解除レバー２２と、第３係合解除レバー２３とを備えて構成してある。
【００２６】
第１係合解除レバー２１は、装置筐体１１の左右方向に沿った第１レバー軸２１ａの軸心回りに回転可能となる態様でロック操作部１１ｂの内部に配設したもので、第１入力部２１ｂ及び第１出力部２１ｃを有している。第１入力部２１ｂは、第１レバー軸２１ａから装置筐体１１の前側に向けて延在し、エジェクトボタン１６が下方に向けて押圧操作された場合に当接される部分である。第１出力部２１ｃは、第１入力部２１ｂから下方に向けて延在し、第１入力部２１ｂが下方に押圧された場合に後側に向けて移動する部分である。
【００２７】
第２係合解除レバー２２は、上下方向に沿った第２レバー軸２２ａの軸心回りに回転する態様でＰＣ搭載部１１ａの内部に配設したもので、第２入力部２２ｂ及び第２出力部２２ｃを有している。第２入力部２２ｂは、第１係合解除レバー２１における第１出力部２１ｃの移動域に位置しており、第１出力部２１ｃが後側に向けて移動した場合にこれに当接し、後側に向けて移動する部分である。第２出力部２２ｃは、第２レバー軸２２ａに対して第２入力部２２ｂとは反対の方向に延在した後、前側に向けて屈曲したもので、第２入力部２２ｂが後側に向けて移動した場合に前側に向けて移動する部分である。
【００２８】
第３係合解除レバー２３は、細径の円柱状を成すレバー軸部２３ａを有したもので、このレバー軸部２３ａがＰＣ搭載部１１ａの左右方向に沿って略水平となる状態で支持してあり、自身の軸心回りに回転することが可能である。この第３係合解除レバー２３には、レバー軸部２３ａの周面に第３入力部２３ｂ及び一対の第３出力部２３ｃを備えている。第３入力部２３ｂは、レバー軸部２３ａの下部周面から第２係合解除レバー２２における第２出力部２２ｃの移動域上に向けて下方に延在しており、第２係合解除レバー２２の第２出力部２２ｃが前側に向けて移動した場合にこれに当接し、装置筐体１１の前側に向けて移動する部分である。一対の第３出力部２３ｃは、レバー軸部２３ａの下部周面からそれぞれ係合レバー１５における解除阻止連係部１５ｄの傾斜面１５ｆに当接するように延在し、第３入力部２３ｂが装置筐体１１の前側に向けて移動した場合にレバー基部１５ａを介して係合レバー１５を装置筐体１１のＰＣ搭載部１１ａに対して前側に移動させるものである。
【００２９】
キー挿入孔１７ａは、図１〜図３に示すように、ラップトップパソコン用のワイヤ式ロックキー（ロック器具）２００を装着するための開口である。ロックキー２００は、太径の円柱状を成すロック本体部２０１と、ロック本体部２０１の先端部から延在したフック軸２０２を有した汎用品である。フック軸２０２は、軸部２０２ａの先端に直角に延在するフック２０２ｂを有したＴ字状を成している。
【００３０】
図３に示すように、本実施の形態のキー挿入孔１７ａは、左右方向に沿った幅に比べて上下方向の高さを大きく設定した矩形状の長孔であり、装置筐体１１におけるロック操作部１１ｂの後側面に配設した円盤部材１７に形成してある。円盤部材１７は、図１及び図２に示すように、装置筐体１１に固定した金属プレート等の剛性部材１８に保持させたもので、剛性部材１８の板厚を加えた軸方向寸法がロックキー２００におけるロック本体部２０１の先端面とフック軸２０２のフック２０２ｂとの間の相互間距離と一致するように構成してある。このキー挿入孔１７ａにロックキー２００のフック軸２０２を挿入した後、ロック本体部２０１を介してフック軸２０２を約９０°回転させれば、フック軸２０２のフック２０２ｂが剛性部材１８の裏面に対向することになり、フック軸２０２を抜去する方向の移動が阻止されることになる。
【００３１】
また、ドッキング装置１０のロック操作部１１ｂには、キー挿入孔１７ａを形成した円盤部材１７の外周となる部位に可動部材１９が設けてある。可動部材１９は、中心部に円盤部材１７を挿通させることのできる大きさの孔１９ａを有した有底の円柱状を成すもので、この底面を装置筐体１１に形成した押圧操作孔１１ｃを介して外部に露出させ、かつ軸心方向に沿って進退移動可能となる態様で装置筐体１１に配設してある。可動部材１９において装置筐体１１の内部に位置する端部には、径外方向に延在したストッパ片１９ｂが設けてあり、押圧操作孔１１ｃから装置筐体１１の外部に脱落することはない。可動部材１９と装置筐体１１との間には、押圧操作バネ（弾性手段）１９ｃが介在させてある。押圧操作バネ１９ｃは、可動部材１９の底面が装置筐体１１の押圧操作孔１１ｃから外部に突出するように常時押圧力を付与するものである。
【００３２】
この可動部材１９には、ボタン操作阻止機構部３０が連係してある。ボタン操作阻止機構部３０は、スライダ３１と、操作阻止レバー３２と、操作阻止ブロック３３を備えて構成してある。
【００３３】
スライダ３１は、ロック操作部１１ｂの内部において前後方向にスライド可能に設けたものである。このスライダ３１は、後側端部が可動部材１９におけるストッパ片１９ｂの移動域上に設けてあり、可動部材１９を押圧操作バネ１９ｃの押圧力に抗して装置筐体１１の内部に押圧した場合にストッパ片１９ｂに当接し、装置筐体１１の前側に向けて移動される。操作阻止レバー３２は、装置筐体１１の左右方向に沿った阻止レバー軸３２ａの軸心回りに回転可能となる態様でロック操作部１１ｂの内部に配設したもので、レバー入力部３２ｂ及びレバー出力部３２ｃを有している。レバー入力部３２ｂは、阻止レバー軸３２ａよりも上方に位置する部位からスライダ３１の前端部に対向し、スライダ３１が前側に移動した場合に当接する部分である。レバー出力部３２ｃは、阻止レバー軸３２ａよりも下方に位置する部位から下方に向けて延在し、レバー入力部３２ｂが前側に移動するように回転した場合に後側に向けて移動する部分である。操作阻止ブロック３３は、装置筐体１１においてロック操作部１１ｂの底壁に前後方向に向けてスライド可能に配設したもので、ブロック入力部３３ａ及びブロック第１出力部３３ｂを有している。ブロック入力部３３ａは、操作阻止ブロック３３の上面から上方に向けて突出し、操作阻止レバー３２のレバー出力部３２ｃが前側に移動した場合にこれに当接する部分である。ブロック第１出力部３３ｂは、操作阻止ブロック３３の上面から上方に向けて突出したものである。このブロック第１出力部３３ｂは、図１に示すように、操作阻止ブロック３３が最も前側に配置された場合にエジェクトボタン１６の下方への移動を許容する一方、図２に示すように、最も後側に配置された場合にエジェクトボタン１６の移動域に配置され、エジェクトボタン１６の下方への移動を阻止するように機能する。
【００３４】
さらに、ボタン操作阻止機構部３０の操作阻止ブロック３３には、図６に示すように、ブロック第２出力部３３ｃが設けてある。ブロック第２出力部３３ｃは、操作阻止ブロック３３の上面から上方に突出した部分である。このブロック第２出力部３３ｃには、係合解除阻止機構部４０が連係してある。係合解除阻止機構部４０は、図４〜図６に示すように、解除阻止レバー４１とリンクレバー４２とを備えて構成してある。
【００３５】
解除阻止レバー４１は、装置筐体１１においてＰＣ搭載部１１ａの底壁に左右方向に沿ってスライド可能に配設した平板状部材である。この解除阻止レバー４１には、一対の解除阻止面４１ａが設けてある。解除阻止面４１ａは、解除阻止レバー４１の後側縁部から後方に向けて突出した部分である。解除阻止レバー４１の後側縁部は、係合レバー１５の解除阻止係止面１５ｅとの間に、レバースプリング（図示せず）の押圧力に抗して係合レバー１５を前側に移動させるに十分な間隙が確保してある。解除阻止面４１ａは、解除阻止レバー４１が左右方向に適宜移動し、係合レバー１５の解除阻止係止面１５ｅと対向した場合にこれに当接することにより、係合レバー１５の前側への移動を阻止するものである。
【００３６】
リンクレバー４２は、解除阻止レバー４１の一端部と操作阻止ブロック３３のブロック第２出力部３３ｃとの間を連係するもので、上下方向に沿ったリンクレバー軸４２ａの軸心回りに回転する態様で装置筐体１１のＰＣ搭載部１１ａに配設してある。リンクレバー４２の一方の端部４２ｂは、図６に示すように、操作阻止ブロック３３のブロック第２出力部３３ｃに対して後側に位置する面に当接している。リンクレバー４２の他方の端部４２ｃは、図４及び図５に示すように、長孔４２ｄを介して解除阻止レバー４１の一端部に設けた軸部材４１ｂに接続してある。
【００３７】
このリンクレバー４２は、操作阻止ブロック３３が最も前側に配置された場合に解除阻止レバー４１の後側縁部をそれぞれ係合レバー１５の解除阻止係止面１５ｅに対向させる一方、操作阻止ブロック３３が最も後側に配置された場合にブロック第２出力部３３ｃを介してリンクレバー軸４２ａの軸心回りに回転し、解除阻止レバー４１をスライドさせることによって一対の解除阻止面４１ａをそれぞれ係合レバー１５の解除阻止係止面１５ｅに対向させるものである。
【００３８】
上記のように構成したドッキング装置１０では、通常状態にある場合、図１に示すように、可動部材１９が装置筐体１１においてロック操作部１１ｂの後側面から突出した状態にあり、操作阻止レバー３２のレバー出力部３２ｃが最も前側に位置することにより、操作阻止ブロック３３が装置筐体１１の最も前側に配置された状態に維持される。この結果、一対の係合レバー１５は、レバースプリング（図示せず）の押圧力に抗して前側に移動させることが可能である。また、通常状態にある場合、エジェクトボタン１６は、復帰スプリング１６ａによって最も上方に配置されているが、操作阻止ブロック３３が装置筐体１１の最も前側に配置されているため、下方に押圧操作することが可能である。
【００３９】
従って、通常状態から装置筐体１１のＰＣ搭載部１１ａにラップトップパソコン１００を搭載し、一対の位置決めピンＰをそれぞれラップトップパソコン１００の位置決め孔１３０に嵌合させ、さらに可動板１２を押圧しながらＰＣ側コネクタ１１０を拡張側コネクタ１４に接続させれば、係合レバー１５の係合爪部１５ｃが本体筐体１０１の下面に設けた係合爪１２０に係合することになり、ラップトップパソコン１００の不用意な離脱を防止した状態でラップトップパソコン１００の機能を拡張することができる。
【００４０】
上述の状態からロックキー２００のフック軸２０２をキー挿入孔１７ａに挿入し、これを約９０°回転させてキーロックすれば、フック軸２０２を抜去する方向の移動が阻止されることになる。従って、ロックキー２００のロック本体部２０１に設けられているワイヤを机等の固定物に巻回させれば、ドッキング装置１０の盗難を防止することができるようになる。
【００４１】
ここで、上記ドッキング装置１０によれば、フック軸２０２をキー挿入孔１７ａに挿入する際にロック本体部２０１の先端面が可動部材１９に当接することになる。このため、図２に示すように、押圧操作バネ１９ｃの押圧力に抗して可動部材１９を押圧しなければ、フック軸２０２を９０°回転させてフック２０２ｂを剛性部材１８の裏面に対向配置させることができない。つまり、ロックキー２００のフック軸２０２を装置筐体１１のキー挿入孔１７ａに挿入させた場合には、可動部材１９が装置筐体１１に対して退行移動することになる。可動部材１９が退行移動すると、スライダ３１を介して操作阻止レバー３２のレバー出力部３２ｃが後側に向けて移動することになり、操作阻止ブロック３３のブロック第１出力部３３ｂによってエジェクトボタン１６の下方への移動が阻止される。
【００４２】
これと同時に、操作阻止ブロック３３のブロック第２出力部３３ｃを介してリンクレバー４２が回転し、解除阻止レバー４１の解除阻止面４１ａがそれぞれ係合レバー１５の解除阻止係止面１５ｅに対向した状態となる。
【００４３】
これらの結果、係合レバー１５によるラップトップパソコン１００の係合状態を解除することができず、上述のロックキー２００によるドッキング装置１０の盗難を防止することができると同時にラップトップパソコン１００の盗難を防止することが可能となる。
【００４４】
この場合、ロックキー２００のロック本体部２０１は、操作者が手に持って操作する部分であり、ロックキー２００の種類に関わりなくフック軸２０２よりも太径の部分として存在するものである。従って、ロックキー２００の種類に応じてフック軸２０２の先端形状や寸法が異なっている場合にも、フック軸２０２をキー挿入孔１７ａに挿入すれば、エジェクトボタン１６の操作移動を阻止するボタン操作阻止機構部３０と、係合レバー１５の解除方向への移動を阻止する係合解除阻止機構部４０とを確実に動作させることが可能となる。
【００４５】
しかも、上記ドッキング装置１０によれば、エジェクトボタン１６の操作を阻止するばかりでなく、係合レバー１５の解除動作を直接阻止するようにしている。従って、ラップトップパソコン１００とＰＣ搭載部１１ａとの隙間に異物を挿入した場合にも係合レバー１５による係合状態が解除することがなく、ラップトップパソコン１００の盗難を確実に防止することができる。また、係合状態解除機構部２０のいずれもが動作しないため、係合状態解除機構部２０を構成する第１係合解除レバー２１、第２係合解除レバー２２、第３係合解除レバー２３のいずれにも過負荷が加えられる虞れがない。
【００４６】
尚、上述の状態からロックキー２００を解除し、フック軸２０２を９０°回転させてこれを抜去すれば、可動部材１９が装置筐体１１から突出した通常状態に復帰する。従って、エジェクトボタン１６を押圧操作することができるとともに、エジェクトボタン１６の押圧操作によって係合状態解除機構部２０が動作することになる。このとき、係合レバー１５の解除阻止係止面１５ｅに対しては、解除阻止レバー４１の後側縁部が対向した状態にある。従って、係合レバー１５によるラップトップパソコン１００の係合状態を解除し、ドッキング装置１０から離脱させることができるようになる。
【００４７】
尚、上述した実施の形態では、可動部材１９としてキー挿入孔１７ａの周囲全周に配置される環状のものを適用しているが、必ずしもこれに限らず、ロックキー２００のフック軸２０２をキー挿入孔１７ａに挿入する際にロック本体部２０１が当接するように構成すればその形状は問わず、半円弧状のものであっても良いし、ロッド状のものであっても構わない。
【符号の説明】
【００４８】
１０      ドッキング装置
１１      装置筐体
１４      拡張側コネクタ
１５      係合レバー
１６      エジェクトボタン
１７      円盤部材
１７ａ      キー挿入孔
１９      可動部材
３０      ボタン操作阻止機構部
４０      係合解除阻止機構部
１００      ラップトップパソコン
１１０      ＰＣ側コネクタ
２００      ロックキー
２０１      ロック本体部
２０２      フック軸
【図１】
2010257202.tif 000003
【図２】
2010257202.tif 000004
【図３】
2010257202.tif 000005
【図４】
2010257202.tif 000006
【図５】
2010257202.tif 000007
【図６】
2010257202.tif 000008
【図７】
2010257202.tif 000009
【図８】
2010257202.tif 000010